(57)【要約】【課題】部品点数及び消費電力が削減された火災感知器、及びその火災感知器を備えた情報取得システムを提供する。また、そのような火災感知器の感度検査装置を提供する。【解決手段】火災に基づく物理現象を検出する発光回路１１及び受光回路１２と、火災表示灯１６と、周期的に火災表示灯１６を発光させることで稼動信号を出力するとともに、受光回路１２との出力に基づいて火災の発生が検出された場合に火災表示灯１６を発光させるマイコン１３と、を備え、マイコン１３は、受光回路１２の出力に基づいて発光回路１１及び受光回路１２の感度を判定し、１回の稼動信号の出力において、発光回路１１及び受光回路１２の感度に応じた時間間隔で、火災表示灯１６を少なくとも３回発光させる。【選択図】図６
2018116333.tif 000002
【特許請求の範囲】
【請求項１】
火災に基づく物理現象を検出する検出部と、
発光部と、
周期的に前記発光部を発光させることで稼動信号を出力するとともに、前記検出部の出力に基づいて火災の発生が検出された場合に前記発光部を発光させる制御部と、を備え、
前記制御部は、
前記検出部の出力に基づいて、前記検出部の感度を判定し、
１回の前記稼動信号の出力において、前記検出部の感度に応じた時間間隔で、前記発光部を少なくとも３回発光させる
ことを特徴とする火災感知器。
【請求項２】
前記１回の稼動信号の出力において、前記発光部を前記少なくとも３回発光させる際、前記制御部は、連続する２回の発光の時間間隔を固定値とし、他の連続する２回の発光の時間間隔を、前記検出部の感度に応じた時間間隔とする
ことを特徴とする請求項１記載の火災感知器。
【請求項３】
前記１回の稼動信号の出力において、前記発光部を前記少なくとも３回発光させる際、前記制御部は、２０ミリ秒以内に前記発光部を３回発光させる
ことを特徴とする請求項１または請求項２に記載の火災感知器。
【請求項４】
前記１回の稼動信号の出力において、前記発光部を前記少なくとも３回発光させる際、前記制御部は、前記発光部を１回目に発光させるときの強度を、３回目に発光させるときの強度よりも大きくする
ことを特徴とする請求項１〜請求項３のいずれか一項に記載の火災感知器。
【請求項５】
前記１回の稼動信号の出力において、前記発光部を前記少なくとも３回発光させる際、前記制御部は、前記検出部の感度に応じた強度で前記発光部を発光させる
ことを特徴とする請求項１〜請求項４のいずれか一項に記載の火災感知器。
【請求項６】
請求項１〜請求項５のいずれか一項に記載の火災感知器と、
受光素子及び前記受光素子が検出した光に基づいた情報を表示する表示器を有する感度検査装置とを備え、
前記感度検査装置は、前記火災感知器の前記発光部が発光した光を、前記受光素子が３回受光したとき、連続する２回の受光の時間間隔に対する、他の連続する２回の受光の時間間隔の比率に基づいて、前記火災感知器の前記発光部の感度に関する情報を前記表示器に表示する
ことを特徴とする火災感知器の情報取得システム。
【請求項７】
受光素子と、
遮光材料で構成され、開口部を有し前記受光素子を収容するカバーと、
前記受光素子が受光した光に基づいた情報を表示する表示器とを備え、
前記表示器は、前記受光素子が連続して３回受光したとき、連続する２回の受光の時間間隔に対する、他の連続する２回の受光の時間間隔の比率に基づく情報を表示する
ことを特徴とする火災感知器の感度検査装置。
【発明の詳細な説明】
【技術分野】
【０００１】
本発明は、物理現象に基づいて火災を感知する火災感知器、火災感知器及び火災検出の感度を検査する感度検査装置を備えた火災感知器の情報取得システム、並びに火災感知器の火災検出の感度を検査する感度検査装置に関する。
【背景技術】
【０００２】
従来、可視光を発光するＬＥＤで構成され、火災を検出したことを視覚的に報知する火災表示灯と、赤外ＬＥＤで構成され火災検出部の感度データを送信する感度データ送信用発光素子と、を備えた火災感知器が提案されている（例えば、特許文献１参照）。
【先行技術文献】
【特許文献】
【０００３】
【特許文献１】特開２００５−２８４９１１号公報（第４−第８頁）
【発明の概要】
【発明が解決しようとする課題】
【０００４】
上記特許文献１に記載の火災感知器は、火災を検出したことを報知するための火災表示灯を周期的に点灯させることで、火災感知器が正常に動作していることを視覚的に報知している。また、上記特許文献１に記載の火災感知器には、火災表示灯とは別に感度データ送信用発光素子が設けられており、火災の検出部の感度に応じたタイミングで感度データ送信用発光素子を発光させることで、感度の情報を出力している。このように上記特許文献１に記載の火災感知器は、火災表示灯と感度データ送信用発光素子の両方を周期的に発光させるものであったため、部品点数及び消費電力の削減が望まれていた。
【０００５】
本発明は、上記のような課題を背景としてなされたものであり、部品点数及び消費電力が削減された火災感知器、及びその火災感知器の情報取得システムを提供するものである。また、そのような火災感知器の感度検査装置を提供するものである。
【課題を解決するための手段】
【０００６】
本発明の火災感知器は、火災に基づく物理現象を検出する検出部と、発光部と、周期的に前記発光部を発光させることで稼動信号を出力するとともに、前記検出部の出力に基づいて火災の発生が検出された場合に前記発光部を発光させる制御部と、を備え、前記制御部は、前記検出部の出力に基づいて、前記検出部の感度を判定し、１回の前記稼動信号の出力において、前記検出部の感度に応じた時間間隔で、前記発光部を少なくとも３回発光させるものである。
【０００７】
本発明の火災感知器の情報取得システムは、上記火災感知器と、受光素子及び前記受光素子が検出した光に基づいた情報を表示する表示器を有する感度検査装置とを備え、前記感度検査装置は、前記火災感知器の前記発光部が発光した光を、前記受光素子が３回受光したとき、連続する２回の受光の時間間隔に対する、他の連続する２回の受光の時間間隔の比率に基づいて、前記火災感知器の前記発光部の感度に関する情報を前記表示器に表示するものである。
【０００８】
本発明の火災感知器の感度検査装置は、受光素子と、遮光材料で構成され、開口部を有し前記受光素子を収容するカバーと、前記受光素子が受光した光に基づいた情報を表示する表示器とを備え、前記表示器は、前記受光素子が連続して３回受光したとき、連続する２回の受光の時間間隔に対する、他の連続する２回の受光の時間間隔の比率に基づく情報を表示するものである。
【発明の効果】
【０００９】
本発明の火災感知器は、１つの発光部が、稼動信号の出力と感度の検出結果の出力とに兼用される。このため、稼動信号の出力と感度の検出結果の出力のそれぞれに発光部を設ける必要がなく、火災感知器の部品点数を削減することができる。また、稼動信号の出力と感度の検出結果の出力のためにそれぞれ発光部を設けた場合と比較して、消費電力を抑制することができる。
【図面の簡単な説明】
【００１０】
【図１】実施の形態１に係る火災感知器の情報取得システムのシステム構成図である。
【図２】実施の形態１に係る火災感知器のブロック図である。
【図３】実施の形態１に係る感度検査装置のブロック図である。
【図４】実施の形態１に係る火災感知器の動作を説明するフローチャートである。
【図５】実施の形態１に係る火災感知器が出力する稼動信号を説明する図である。
【図６】実施の形態１に係る火災感知器が出力する感度の検出結果を説明する図である。
【図７】実施の形態１に係る感度検査装置の動作を説明するフローチャートである。
【発明を実施するための形態】
【００１１】
本発明に係る火災感知器、火災感知器の情報取得システム、及び火災感知器の感度検査装置の実施の形態を、図面に基づいて説明する。なお、以下に示す図面の形態によって本発明が限定されるものではなく、本発明の技術思想の範囲内において、適当な変更ならびに修正がなされうる。
【００１２】
実施の形態１．
図１は、実施の形態１に係る火災感知器の情報取得システムのシステム構成図である。本実施の形態の情報取得システム１００は、天井又は壁に取り付けられて火災を検出する火災感知器１０と、火災感知器１０の火災検出の感度を検査する感度検査装置３０とを備える。図１に示すように、火災感知器１０には、電線２１を介して火災受信機２０が接続される。火災感知器１０は、火災の発生を感知すると、火災表示灯１６が発光して火災感知器１０が設置された場所にいるユーザに火災の発生を視覚的に知らせるとともに、電線２１を介して火災信号を出力する。火災受信機２０は、電線２１を介して火災感知器１０に電力を供給するとともに、火災感知器１０から出力される火災信号を、電線２１を介して取得する。図示されていないが、電線２１は一対の電線で構成される。火災受信機２０は、火災感知器１０からの火災信号を取得した場合には、音響警報装置、表示警報装置、及び光警報装置のいずれか一つ以上を作動させて火災警報を行うとともに、防火扉及びシャッター等の防排煙装置を動作させる。
【００１３】
図２は、実施の形態１に係る火災感知器のブロック図である。火災感知器１０は、煙、赤外線、紫外線、及び燃焼ガス等の火災に起因する物理現象を検出する検出部を有し、火災に起因する物理現象を検出した場合には、火災の発生を報知する。本実施の形態では、火災感知器１０が、火災に起因する煙を検出する検出部を備えた煙感知器である場合を例に説明するが、本発明は炎感知器及びガス感知器等の他の火災感知器に適用することもできる。
【００１４】
火災感知器１０は、煙を検出する検出部である発光回路１１及び受光回路１２と、火災感知器１０の動作を制御する制御部であるマイコン１３と、発光部である火災表示灯１６とを備える。本実施の形態の火災感知器１０は、さらに、ＥＥＰＲＯＭ１４と、スイッチング回路１５と、点灯回路１７と、送受信回路１８とを備える。
【００１５】
発光回路１１及び受光回路１２は、火災を検出する検出部を構成している。これ以降の説明では、発光回路１１及び受光回路１２を、検出部と総称する場合がある。発光回路１１は発光ダイオード（ＬＥＤ）を備え、受光回路１２は発光回路１１の発光ダイオードが発した光を検出するフォトダイオードを備えている。発光回路１１の発光ダイオード及び受光回路１２のフォトダイオードは、火災感知器１０の筐体内に区画形成された暗箱内のラビリンスに設置されている。発光ダイオードが発した光が、ラビリンス内に入った煙粒子によって散乱され、この散乱光をフォトダイオードが受光することで、煙が検出される。受光回路１２は、フォトダイオードの出力を増幅するアンプを備えていてもよい。
【００１６】
マイコン１３は、火災感知器１０の全体の動作を制御するＭＰＵ１３１と、メモリ１３２とを備えている。マイコン１３は、発光回路１１、受光回路１２、ＥＥＰＲＯＭ１４、スイッチング回路１５、火災表示灯１６、点灯回路１７、送受信回路１８のそれぞれが接続される複数の入出力ポートを備えており、この入出力ポートを介して各部との間で信号を入出力する。マイコン１３は、受光回路１２から出力されるアナログ値をデジタル値に変換するアナログデジタル変換器を有しており、受光回路１２からの出力をデジタル値（Ａ／Ｄ値）として取り込んで、取り込んだＡ／Ｄ値を火災判定、検出部の感度の判定、及び検出部の故障判定に用いる。
【００１７】
ＥＥＰＲＯＭ１４は、書き換え可能な不揮発性メモリである。ＥＥＰＲＯＭ１４には、火災判定の閾値レベル、検出部の感度の許容範囲の上限値レベル及び下限値レベル、及び煙検出機能に関する部品の断線を判別する断線判別レベルが、Ａ／Ｄ値と対比されるデータとして格納されている。火災感知器１０が製造される際に、検出部の感度が調整された状態でのこれらのデータが、ＥＥＰＲＯＭ１４に書き込まれる。
【００１８】
スイッチング回路１５は、火災が検出されたときに、マイコン１３からの出力に基づいてオンされる自己保持回路である。このスイッチング回路１５がオン状態を保持することにより、火災受信機２０に接続されている一対の電線２１間のインピーダンスが、高インピーダンスから低インピーダンスに変化し、火災受信機２０に火災信号が出力される。
【００１９】
火災表示灯１６は、火災（本実施の形態では、煙）が検出されたことを視覚的に報知するものであり、赤色などの可視光を発光する発光ダイオード（ＬＥＤ）が用いられる。火災が検出されると、スイッチング回路１５による火災受信機２０への火災信号の出力と同時に、火災表示灯１６が連続点灯する。本実施の形態の火災表示灯１６は、火災が検出されたことを報知する機能に加えて、火災感知器１０の稼動状態を報知する機能、及び検出部の感度情報を出力する機能を有している。これらの機能については、後述する。火災表示灯１６は、火災感知器１０の、外部から視認される位置に設けられている。火災感知器１０は複数の火災表示灯１６を備えてもよく、このようにすることで、火災感知器１０が天井又は壁に設置された状態において、火災表示灯１６がユーザに視認されやすくなる。
【００２０】
点灯回路１７は、マイコン１３からの出力に基づいて、連続的に、あるいは断続的にオンする。点灯回路１７がオンすると、火災表示灯１６が点灯する。
【００２１】
送受信回路１８は、マイコン１３からの出力に基づいて、火災感知器１０の稼動状態を示す稼動情報を、電線２１を介して火災受信機２０に出力する。
【００２２】
ここで、ＥＥＰＲＯＭ１４に格納されるデータについて説明する。ＥＥＰＲＯＭ１４には、受光回路１２から出力されたアナログ値がデジタル変換された値であるＡ／Ｄ値と対比されるデータが、格納される。ＥＥＰＲＯＭ１４に格納されるデータは、（１）火災判定の閾値レベル、（２）煙検出機能に関する断線判別レベル、（３）検出部の感度の許容範囲の上限値レベル、及び（４）検出部の感度の許容範囲の下限値レベルである。
【００２３】
（１）火災判定の閾値レベルは、火災が発生しているか否かの判定に用いられる閾値である。検出されたＡ／Ｄ値が火災判定の閾値レベルを超えている場合には、マイコン１３は、火災が発生していると判定する。（２）煙検出機能に関する断線判別レベルは、検出部を構成する発光回路１１又は受光回路１２に断線等の異常が発生しているか否かを判定するときに用いられるレベルである。（３）検出部の感度の許容範囲の上限値レベル及び（４）検出部の感度の許容範囲の下限値レベルは、検出部の感度として許容される範囲の上限値及び下限値をそれぞれ示す。経年に伴う汚損によって、発光回路１１に設けられた発光ダイオードからの光の透過量の減衰と、受光回路１２に設けられたフォトダイオードの受光量の減衰とが生じ、検出部の感度が低下する。マイコン１３は、検出されたＡ／Ｄ値が、許容範囲の上限値レベルと下限値レベルの間にあるか否かを判定し、検出されたＡ／Ｄ値が、許容範囲外であれば感度異常が発生していると判定する。
【００２４】
さらに、ＥＥＰＲＯＭ１４には、検出部の感度の許容範囲の上限値レベルと下限値レベルとの間の範囲を複数に分割して得られた感度レベルが格納される。許容範囲の上限値レベルとの間の範囲を、例えば１５段階に分割して得られた感度レベルが、ＥＥＰＲＯＭ１４に格納される。許容範囲の上限値レベルと下限値レベルとの間の範囲が等間隔に分割されていてもよいし、上限値レベル及び下限値レベルに近い範囲ほど密に分割されていてもよい。マイコン１３は、検出されたＡ／Ｄ値が、許容範囲内の複数のレベルのいずれに該当するかを判定することによって、検出部の感度を判定する。
【００２５】
この検出部の感度の判定においては、マイコン１３は、過去に検出されたＡ／Ｄ値の複数の値をリングバッファ形式で記憶しておき、それら複数のＡ／Ｄ値の平均値と、ＥＥＰＲＯＭ１４に格納された許容範囲の上限値レベル及び下限値レベルとを比較することにより、検出部の感度の判定を行ってもよい。このように平均値を用いることで、外乱又はノイズによるＡ／Ｄ値のバラツキによる、感度の判定精度の低下を抑制することができる。
【００２６】
図３は、実施の形態１に係る感度検査装置のブロック図である。感度検査装置３０は、火災感知器１０の火災表示灯１６が発する光に基づいて、火災感知器１０から出力される検出部の感度の情報を取得し、取得した感度の情報を表示する装置である。感度検査装置３０は、受光素子３１と、制御部であるマイコン４０と、表示器３４とを備える。本実施の形態の感度検査装置３０はさらに、アンプ３２と、搬送波復調器３３と、測定開始スイッチ３５と、電池３６と、電源スイッチ３７とを備える。
【００２７】
受光素子３１は、光を検出するフォトダイオードを備える。受光素子３１は、感度検査装置３０の筐体の外表面に露出しており、筐体の外部で発せられた光を検出する。アンプ３２は、受光素子３１の出力を増幅させる。搬送波復調器３３は、アンプ３２の出力から信号波を復元して、マイコン４０に出力する。
【００２８】
表示器３４は、マイコン４０に制御されて、火災感知器１０の検出部の感度情報を表示する。表示器３４は、例えば液晶画面で構成され、検出部の感度を文字、図形、又はこれらの組合せにより表示する。
【００２９】
測定開始スイッチ３５は、感度検査装置３０の筐体の表面に設けられた、例えば押しボタン式のスイッチである。測定開始スイッチ３５が押下されると、マイコン４０は、火災感知器１０から出力される感度情報の受信を開始する。電源スイッチ３７は、感度検査装置３０の筐体の表面に設けられた、例えば押しボタン式のスイッチである。電源スイッチ３７のオン／オフ状態により、感度検査装置３０に内蔵された電池３６から各部への電源の供給の有無が切り替えられる。
【００３０】
マイコン４０は、感度検査装置３０の全体の動作を制御するＭＰＵ４１と、メモリ４２と、表示駆動部４３と、パルス間隔測定器５０とを備える。マイコン４０は、搬送波復調器３３、表示器３４、測定開始スイッチ３５、及び電源スイッチ３７のそれぞれが接続される複数の入出力ポートを有しており、この入出力ポートを介して各部との間で信号を入出力する。搬送波復調器３３によって復元された火災感知器１０の検出部の感度情報を示す信号波は、マイコン４０に入力される。マイコン４０に入力された感度情報を示す信号波は、後述するように複数のパルスを含んでおり、パルス間隔測定器５０はこの複数のパルス同士の間隔を測定して、測定結果をＭＰＵ４１に出力する。ＭＰＵ４１は、パルス間隔測定器５０から出力されたパルス間隔と、メモリ４２に格納されている情報とに基づいて、火災感知器１０の検出部の感度を判定する。ＭＰＵ４１は、判定した検出部の感度を示す信号を表示駆動部４３に出力し、表示駆動部４３はＭＰＵ４１からの出力に基づいて表示器３４に感度を表示させる。
【００３１】
感度検査装置３０の筐体に、遮光材料で構成され、受光素子３１を収容するカバーを設けてもよい。このカバーは、火災感知器１０の火災表示灯１６からの光を受光素子３１が検出する際に、外光が受光素子３１に入力されることを防ぐことができるように、大きさ、形状及び材料が決定される。カバーには、開口部が設けられており、この開口部を介して火災感知器１０の火災表示灯１６の光がカバー内に入射する。このように外光を遮るカバーを設けることで、感度検査装置３０の受光素子３１は、火災表示灯１６から出力される光をより正確に検出することができる。
【００３２】
パルス間隔測定器５０は、第１タイマー５１と、第２タイマー５２と、第３タイマー５３と、第４タイマー５４と、第１カウンタ５５と、第２カウンタ５６とを備える。パルス間隔測定器５０の機能については、後述する。
【００３３】
図４は、実施の形態１に係る火災感知器１０の動作を説明するフローチャートである。火災感知器１０のマイコン１３の基本的な動作を、図４を参照して説明する。図４に示す動作は、火災感知器１０に電源が投入されていて、かつマイコン１３が起動された状態で実行されるものである。
【００３４】
マイコン１３は、大まかには、火災判別処理（ＳＴ１）と、感度測定処理（ＳＴ３）と、発光処理（ＳＴ７）とを、周期的に実行している。火災判別処理（ＳＴ１）の結果、火災が発生していると判定した場合には（ＳＴ２；ＹＥＳ）、火災情報を出力して（ＳＴ８）、マイコン１３はストップ状態となる。一方で、火災が発生していないと判定した場合には（ＳＴ２；ＮＯ）、マイコン１３は、続けて感度測定処理と発光処理とを実行する。
【００３５】
ステップＳＴ１の火災判別処理においては、マイコン１３は、受光回路１２からの出力に基づいて検出されたＡ／Ｄ値と、ＥＥＰＲＯＭ１４に格納されている火災判定の閾値レベルとを比較する。ステップＳＴ２において、マイコン１３は、検出されたＡ／Ｄ値が閾値レベルを超えている場合には、火災が発生していると判定し（ＳＴ２；ＹＥＳ）、Ａ／Ｄ値が閾値レベル以下であれば、火災が発生していないと判定する（ＳＴ２；ＮＯ）。
【００３６】
ステップＳＴ３の感度測定処理においては、マイコン１３は、受光回路１２からの出力値をＡ／Ｄ値として取得し（ＳＴ４）、このＡ／Ｄ値を感度に換算する（ＳＴ５）。具体的には、マイコン１３は、検出されたＡ／Ｄ値と、ＥＥＰＲＯＭ１４に格納されている複数の感度レベルとを比較することにより、検出されたＡ／Ｄ値に対応する感度レベルを判定し、判定した感度レベルを検出部の感度とする。マイコン１３は、ステップＳＴ５で求めた検出部の感度を、メモリ１３２に保存する（ＳＴ６）。
【００３７】
ステップＳＴ７の発光処理においては、マイコン１３は、点灯回路１７を制御して、火災表示灯１６を発光させる。この火災表示灯１６の発光は、火災感知器１０が稼動していることを示す稼動信号の出力と、検出部の感度の出力と、を兼ねている。詳細は後述する。
【００３８】
なお、マイコン１３は、検出部の感度に応じた信号を送受信回路１８に出力し、送受信回路１８はマイコン１３からの出力に応じた信号を電線２１に出力してもよい。このように電線２１に感度に応じた信号が出力されることで、電線２１に接続された火災受信機２０は、火災感知器１０の感度情報を取得することができるとともに、火災感知器１０が稼動していることを把握できる。このような感度に応じた信号に加えて、マイコン１３は、火災感知器１０が稼動していることを示す別の信号を送受信回路１８に出力してもよい。
【００３９】
ステップＳＴ８の火災情報の出力処理においては、マイコン１３は、スイッチング回路１５に信号を出力し、スイッチング回路１５は、この信号に基づいてオン状態となり、さらにオン状態を自己保持する。スイッチング回路１５がオン状態を保持することにより、電線２１を介して火災受信機２０に火災信号が出力される。また、マイコン１３は、点灯回路１７を制御して、火災表示灯１６を連続点灯させる。
【００４０】
なお、図４では、火災判別処理及び感度測定処理の両方を、周期的に実行するものとして説明したが、火災判別処理の頻度に対して感度測定処理の頻度を下げてもよい。例えば、複数回の火災判別処理毎に、１回の感度測定処理を実行してもよい。
【００４１】
図５及び図６を参照して、図４のステップＳＴ７の発光処理を説明する。図５は、実施の形態１に係る火災感知器１０が出力する稼動信号を説明する図である。マイコン１３がステップＳＴ７に示す発光処理を周期的に繰り返すことで、火災表示灯１６が周期的に発光する。この火災表示灯１６の周期的な発光を、稼動信号Ｓと称する。火災が検出されておらずかつ火災感知器１０が正常に動作している場合には、図５に示すように、稼動信号Ｓが周期的に出力される。稼動信号Ｓと次の稼動信号Ｓとの時間間隔は、例えば１０．５秒である。
【００４２】
この１回の稼動信号Ｓをより詳細に示したものが、図６である。図６は、実施の形態１に係る火災感知器１０が出力する感度情報の信号を説明する図である。図６に示すように、１回の稼動信号Ｓは、火災表示灯１６の３回の発光によって構成される。３回の発光のそれぞれを、パルス発光Ｐ１、Ｐ２、Ｐ３と称する。本実施の形態では、１回目のパルス発光Ｐ１と２回目のパルス発光Ｐ２との間隔Ｔ０が予め定められた値であり、２回目のパルス発光Ｐ２と３回目のパルス発光Ｐ３との間隔Ｔ１は、検出部の感度に応じた値である。すなわち、基準値となる間隔Ｔ０は固定であるが、検出部の感度に応じて、パルス発光Ｐ２とパルス発光Ｐ３との間隔Ｔ１が異なる。このようにパルス発光Ｐ２とパルス発光Ｐ３との間隔Ｔ１を異ならせることで、火災感知器１０は、検出部の感度情報を出力する。検出部の感度の複数のレベルそれぞれに対応させた間隔Ｔ１の値がメモリ１３２に格納されており、マイコン１３は検出部の感度に応じた間隔Ｔ１で点灯回路１７に出力信号を送る。
【００４３】
パルス発光Ｐ１が出力されてからパルス発光Ｐ３が出力されるまでの時間、すなわちＴ０＋Ｔ１は、パルス発光Ｐ１、Ｐ２及びＰ３が１回の発光であるように人間が視認する時間とすることが望ましい。すなわち、１回の稼動信号Ｓの出力において火災表示灯１６が３回発光するが、人間には火災表示灯１６が１回発光したと視認されるように、Ｔ０＋Ｔ１の値を設定する。このようにすることで、ユーザは火災表示灯１６がちらついているよう感じにくく、ちらつきによるユーザの不快感を抑制することができる。例えば、Ｔ０＋Ｔ１は、２０ミリ秒以内とすることができる。
【００４４】
パルス発光Ｐ１と、Ｐ２と、Ｐ３との間で、火災表示灯１６の発光の強度を異ならせてもよい。例えば、パルス発光Ｐ１における火災表示灯１６の発光強度を、パルス発光Ｐ２及びＰ３における火災表示灯１６の発光強度よりも大きくする。このようにすることで、間隔Ｔ０＋間隔Ｔ１の長さが長くなったとしても、ユーザの目にはパルス発光Ｐ１、Ｐ２及びＰ３が１回の発光のように見えやすい。火災表示灯１６の発光強度は、火災表示灯１６に供給する電流によって異ならせることができる。例えば、マイコン１３は、パルス発光Ｐ１で火災表示灯１６に４０ｍＡの電流を流し、パルス発光Ｐ２及びＰ３では２０ｍＡの電流を流して火災表示灯１６の光度を相対的に小さくする。あるいは、マイコン１３は、パルス発光Ｐ１で火災表示灯１６に２０ｍＡの電流を流し、パルス発光Ｐ２及びＰ３では１０ｍＡの電流を流して火災表示灯１６の光度を相対的に小さくしてもよい。また、パルス発光Ｐ１及びＰ２における火災表示灯１６の光度を相対的に大きくし、パルス発光Ｐ３における火災表示灯１６の光度を小さくしてもよい。
【００４５】
なお、１回目のパルス発光Ｐ１と２回目のパルス発光Ｐ２との間隔Ｔ０を、検出部の感度に応じた可変値とし、２回目のパルス発光Ｐ２と３回目のパルス発光Ｐ３との間隔Ｔ１を、予め定められた固定値としてもよい。３回のパルス発光のうち、連続する２回のパルス発光の一方の間隔を基準値とし、他の連続する２回のパルス発光の間隔を感度に応じた可変値とすればよい。
【００４６】
図７は、実施の形態１に係る感度検査装置３０の動作を説明するフローチャートである。感度検査装置３０のマイコン４０の基本的な動作を、図７を参照して説明する。図７に示す動作は、感度検査装置３０の電源スイッチ３７がオンされていて、かつマイコン４０が起動された状態で実行されるものである。
【００４７】
マイコン４０は、測定開始スイッチ３５がオンされたか否かを判別する（ＳＴ１０）。測定開始スイッチがオフである場合は（ＳＴ１０；ＮＯ）、待機し、測定開始スイッチ３５がオンされたと判別すると（ＳＴ１０；ＹＥＳ）、第１タイマー５１をスタートさせる（ＳＴ１１）。第１タイマー５１がスタートした状態において、マイコン４０は、１回目のパルス発光Ｐ１に基づく信号波が搬送波復調器３３から出力されるのを待つ（ＳＴ１２）。第１タイマー５１は、例えば３０秒に設定されている。パルス発光Ｐ１の信号波を受信していない状態で（ＳＴ１２；ＮＯ）、第１タイマー５１がタイムアップすると（ＳＴ１３；ＹＥＳ）、マイコン４０はエラーと判断し、表示器３４にエラー表示させる（ＳＴ３３）。
【００４８】
１回目のパルス発光Ｐ１の信号波を受信すると（ＳＴ１２；ＹＥＳ）、マイコン４０は、第１カウンタ５５をスタートさせ（ＳＴ１４）、第１タイマー５１をクリアする（ＳＴ１５）。次にマイコン４０は、第２タイマー５２をスタートさせ（ＳＴ１６）、２回目のパルス発光Ｐ２に基づく信号波が搬送波復調器３３から出力されるのを待つ（ＳＴ１７）。第２タイマー５２は、例えば５ミリ秒に設定されている。パルス発光Ｐ２の信号波を受信していない状態で（ＳＴ１７；ＮＯ）、第２タイマー５２がタイムアップすると（ＳＴ１８；ＹＥＳ）、マイコン４０はエラーと判断し、表示器３４にエラー表示させる（ＳＴ３３）。
【００４９】
２回目のパルス発光Ｐ２の信号波を受信すると（ＳＴ１７；ＹＥＳ）、マイコン４０は、第１カウンタ５５をストップさせ（ＳＴ１９）、第２カウンタ５６をスタートさせ（ＳＴ２０）、第２タイマー５２をクリアする（ＳＴ２１）。次にマイコン４０は、第３タイマー５３をスタートさせ（ＳＴ２２）、３回目のパルス発光Ｐ３に基づく信号波が搬送波復調器３３から出力されるのを待つ（ＳＴ２３）。第３タイマー５３は、例えば２０ミリ秒に設定されている。パルス発光Ｐ３の信号波を受信していない状態で（ＳＴ２３；ＮＯ）、第３タイマー５３がタイムアップすると（ＳＴ２４；ＹＥＳ）、マイコン４０はエラーと判断し、表示器３４にエラー表示させる（ＳＴ３３）。
【００５０】
３回目のパルス発光Ｐ３の信号波を受信すると（ＳＴ２３；ＹＥＳ）、マイコン４０は、第２カウンタ５６をストップさせ（ＳＴ２５）、第３タイマー５３をクリアする（ＳＴ２６）。次にマイコン４０は、第４タイマー５４をスタートさせ（ＳＴ２７）、パルス発光に基づく信号波が搬送波復調器３３から出力されるのを待つ（ＳＴ２８）。第４タイマー５４は、例えば３．０秒に設定されている。第４タイマー５４がタイムアップするまでに４回目のパルス発光の信号波を受信すると（ＳＴ２８；ＹＥＳ）、マイコン４０は、ノイズによる信号波を受信したエラー状態であると判断し、第４タイマー５４をクリアして（ＳＴ３２）、表示器３４にエラー表示させる（ＳＴ３３）。つまり、火災感知器１０からの１回の稼動信号Ｓの出力に含まれるパルス発光は、本来は３回であるべきところ、必要のないパルス発光が検出されたため、これをエラーと判断するのである。
【００５１】
４回目のパルス発光の信号波が受信されることなく（ＳＴ２８；ＮＯ）、第４タイマー５４がタイムアップすると（ＳＴ２９；ＹＥＳ）、マイコン４０は、エラーなく３回のパルス発光Ｐ１、Ｐ２及びＰ３に基づく信号波を受信したことになる。３回のパルス発光の信号波を取得すると、マイコン４０は、第１カウンタ５５及び第２カウンタ５６のカウント値から、火災感知器１０の検出部の感度を算出する（ＳＴ３０）。続けて、マイコン４０は、表示器３４に、ステップＳＴ３０で算出した火災感知器１０の検出部の感度を表示させる（ＳＴ３１）。
【００５２】
ここで、ステップＳＴ３０における感度の算出処理を説明する。マイコン４０は、まず、第２カウンタ５６のカウント値を、第１カウンタ５５のカウンタ値を用いて補正する。本実施の形態では、第２カウンタ５６のカウント値は火災感知器１０の検出部の感度に応じた間隔Ｔ１に対応し、第１カウンタ５５のカウント値は基準値となる固定値である間隔Ｔ０に対応しているため、基準値に対応するカウント値を用いて感度に対応するカウント値を補正することになる。このような補正を行うのは、次のような理由による。すなわち、火災感知器１０のパルス発光処理及び感度検査装置３０の受光処理に用いられる回路部品には、動作精度に関して個体差が生じうる。例えば、２台の火災感知器１０の検出部の感度が同じであったとしても、パルス発光に係る回路の動作精度が異なれば、感度を表すパルス発光の間隔Ｔ１の絶対値が異なる。このため、基準値となる間隔Ｔ０に対応したカウンタ値を用いて、感度を表す間隔Ｔ１に対応したカウンタ値を補正することで、上述した動作精度の個体差の影響を抑制することができる。
【００５３】
具体例を説明する。マイコン４０は、第１カウンタ５５のカウンタ値が、固定の時間、例えば２ミリ秒であるとみなし、この第１カウンタ５５のカウンタ値に対する第２カウンタ５６のカウンタ値の比率を用いて、第２カウンタ５６のカウンタ値を補正する。そして、補正後の第２カウンタ５６のカウンタ値を、メモリ４２に格納されたカウンタ値と感度との対応表に適用して、火災感知器１０の検出部の感度を算出する。対応表に代えて、カウンタ値を感度に換算する計算式を用いてもよい。
【００５４】
ステップＳＴ３１の感度表示及びステップＳＴ３３のエラー表示の後は、マイコン４０は、ステップＳＴ１０に戻って次に測定開始スイッチがオンされるのを待つ。
【００５５】
以上のように本実施の形態の火災感知器１０は、１回の稼動信号の出力に際し、火災表示灯１６が複数回発光する。そして、複数回の発光のうち、連続する２回の発光の間隔は、火災感知器１０の検出部の感度に応じた時間が設定される。このように、１つの火災表示灯１６が、稼動信号の出力と感度の検出結果の出力とに兼用されるため、稼動信号の出力と感度の検出結果の出力のそれぞれのために別の発光部を設ける必要がなく、火災感知器１０の部品点数を削減することができる。また、稼動信号の出力と感度の検出結果の出力のためにそれぞれ発光部を設けた場合と比較して、消費電力を抑制することができる。
【００５６】
また、本実施の形態の火災感知器１０は、１回の稼動信号の出力に際して、火災表示灯１６が少なくとも３回発光する。そして、３回の発光のうち、連続する２回の発光の時間間隔が固定値であり、他の連続する２回の発光の時間間隔は、火災感知器１０の検出部の感度に応じた値に設定される。このため、火災感知器１０の感度を検査する感度検査装置３０が、固定値である２回の受光の時間間隔に対する、感度に応じた２回の受光の時間間隔の比率に基づいて、感度に応じた２回の受光の時間間隔を補正し、補正後の値を感度に換算することで、火災感知器１０及び感度検査装置３０の発光及び受光の動作精度によらず、より正確な感度が検出される。火災感知器１０の発光処理に用いられる回路と感度検査装置３０の受光処理に用いられる回路のいずれか又は両方の動作精度が低くても、より正確な感度を検出できるので、火災感知器１０及び感度検査装置３０の回路部品のコストを低減できる。
【００５７】
なお、火災感知器１０による１回の稼動信号の出力において、火災表示灯１６が少なくとも３回発光する際、検出部の感度に応じた光度で火災表示灯１６が発光してもよい。例えば、火災感知器１０のマイコン１３は、１回目のパルス発光Ｐ１の際に火災表示灯１６に供給する電流を予め定められた値とし、２回目のパルス発光Ｐ２及び３回目のパルス発光Ｐ３のいずれか又は両方の際に火災表示灯１６に供給する電流を、検出部の感度に応じた値とすることができる。このようにすることで、２回目のパルス発光Ｐ２と３回目のパルス発光Ｐ３のいずれか又は両方において、検出部の感度に応じた強度で火災表示灯１６を発光させることができる。感度検査装置３０は、一般的な輝度計あるいは照度計と同様の仕組みで、火災表示灯１６のパルス発光の強度を検出する。例えば、感度検査装置３０のマイコン４０は、検出した光の強度に応じて変化する受光素子３１からの出力の大きさに基づいて、受光素子３１からの出力を検出部の感度に換算する。図６で示した検出部の感度に応じた間隔での連続する２回のパルス発光と、検出部の感度に応じた強度での火災表示灯１６の発光と、を組み合わせることで、検出部の感度をより多段階に表現することができる。
【００５８】
また、本実施の形態では、１回の稼動信号の出力において火災感知器１０の火災表示灯１６が３回パルス発光する例を説明したが、１回の稼動信号の出力における火災表示灯１６の発光回数は、４回以上であってもよい。この場合、火災表示灯１６の４回以上のパルス発光のうち、連続する２回のパルス発光の間隔の一つを固定値とし、他の連続する２回のパルス発光の間隔の一つを検出部の感度に応じた値とする。感度検査装置３０は、図７で説明したフローチャートと同様の考え方で、火災感知器１０の検出部の感度を検出することができる。
【符号の説明】
【００５９】
１０  火災感知器、１１  発光回路、１２  受光回路、１３  マイコン、１４  ＥＥＰＲＯＭ、１５  スイッチング回路、１６  火災表示灯、１７  点灯回路、１８  送受信回路、２０  火災受信機、２１  電線、３０  感度検査装置、３１  受光素子、３２  アンプ、３３  搬送波復調器、３４  表示器、３５  測定開始スイッチ、３６  電池、３７  電源スイッチ、４０  マイコン、４１  ＭＰＵ、４２  メモリ、４３  表示駆動部、５０  パルス間隔測定器、５１  第１タイマー、５２  第２タイマー、５３  第３タイマー、５４  第４タイマー、５５  第１カウンタ、５６  第２カウンタ、１００  情報取得システム、１３１  ＭＰＵ、１３２  メモリ。
【図１】
2018116333.tif 000003
【図２】
2018116333.tif 000004
【図３】
2018116333.tif 000005
【図４】
2018116333.tif 000006
【図５】
2018116333.tif 000007
【図６】
2018116333.tif 000008
【図７】
2018116333.tif 000009